(57)【要約】【課題】  吸放湿等によって目地部が開いても外観を損することはなく、その上、目地部に水が浸入しても裏面側に回るのを確実に防止できる構造が簡単な化粧板を提供する。【解決手段】  化粧板Ａの矩形状基板１の前端部と一側端部とに裏面側から突出した一定幅の縁材２、２を固着していると共に、基板１の表面に貼着している化粧シート３の前端部と一側端部とを基板１の前端面と一側端面から上記縁材２、２の表面内側部に亘たって貼着する一方、後端部と他側端部とを基板１の後端面と他側端面から裏面側に折り返して貼着してあり、一方の化粧板Ａの縁材２の突出部上に他方の化粧板Ａの対向端部の裏面を重ね合わせて施工する際に、縁材２上の化粧シート３の端部に裏面に折り返し貼着している化粧シート３の端部を密着させた状態にして化粧板Ａ、Ａの対向端面間に目地部８を形成している。【選択図】    図６
2005256544.tif 000002
【特許請求の範囲】
【請求項１】
基板における少なくとも一辺側の端部裏面に縁材の表面内側部を固着して、基板の端部裏面から突出する該縁材の外側部を基板の他辺側の端部裏面を載置させる突出実部に形成してあり、さらに、基板の表面全面から互いに平行な上記両辺側の端面に亘って化粧シートを貼着していると共に上記突出実部を有する一辺側の端面からこの突出実部の表面に亘って該化粧シートを連続的に貼着していることを特徴とする化粧板。
【請求項２】
基板の一辺側の端部裏面に固着している縁材において、突出実部の突出端面から所定幅部分の裏面側を一定厚みだけ切除して下向きの係合段部に形成している一方、基板の他辺側の端部裏面にも上記縁材に平行な別な縁材の内側部表面を固着していると共に、この縁材における基板の他端面から突出した突出端面から基板の他側部裏面側に対向する表面側の所定幅部分を一定厚みだけ切除して上記一方の縁材の係合段部に重ね合わせ状に係合する上向きの係合段部に形成してあり、この上向き係合段部の表面内端部と基板の他端部裏面との間に上記一方の縁材の突出実部における先端部を受け入れる横溝を形成していることを特徴とする請求項１に記載の化粧板。
【請求項３】
化粧シートを基板の他辺側の端面から端部裏面にまで連続的に貼着していることを特徴とする請求項１又は請求項２に記載の化粧板。
【請求項４】
基板の一辺側の端部から突出している縁材の突出実部の先端部表面を化粧シートが貼着されていない露出面とし、この露出面に粘着剤層を全長に亘って設けていると共にこの粘着剤層を剥離紙により被覆していることを特徴とする請求項１に記載の化粧板。
【請求項５】
基板における少なくとも一辺側の端部裏面に縁材の内側部を固着して該端部から突出している縁材の外側部を突出実部に形成していると共に、この突出実部の表面を含めて該基板の表面から少なくとも他辺側の端面に亘り化粧シートを全面的に貼着してなる化粧板の施工方法であって、この化粧板を施工面上に配設して縁材の突出実部の端部を施工面に留め具により固定したのち、この突出実部を被覆している化粧シート上に次の化粧板における端面が化粧シートにより全面的に被覆されている他辺側端部を重ね合わせた状態にして一辺側の端部から突出している縁材の突出実部の端部を施工面に留め具により固定し、この化粧板の固定作業を順次行うことを特徴とする化粧板の施工方法。
【発明の詳細な説明】
【技術分野】
【０００１】
本発明は住宅の内装材として施工される化粧板とその施工方法に関するものである。
【背景技術】
【０００２】
近年、床面や壁面、或いは天井面を形成するための内装材としての化粧板は、窓枠や幅木などの納まりを考慮してその厚みが３〜６mm程度のできる限り薄肉のものを使用して下地材等の施工面に施工することが行われる傾向にあるが、このような薄肉の化粧材の場合、その木口面に本実を切削加工することが困難であるため、隣接する化粧材の対向端部は、特許文献１に記載しているように、突き付けによって施工したり、特許文献２に記載しているように、裏面に単板などの裏打ち材を貼り付けることによって目地部を納めているのが現状である。
【特許文献１】特開２００２−１０３４９１号公報
【特許文献２】実公平７−５１４１号公報
【発明の開示】
【発明が解決しようとする課題】
【０００３】
しかしながら、このような目地部の納め方では、室内の温度や湿度の変化によって化粧板に反りや伸縮が発生した場合、目地部が開いて化粧板の木口そのものの色や柄が外部に露呈して外観を損することになるばかりでなく、目地部に水が入った場合、化粧板の基材を劣化させたり、水が裏面に回り込んでカビや腐朽の原因になる。
【０００４】
また、床面や壁面、天井面等をリフォームする際に、既存の床や壁、天井を解体することなく上記化粧板を上貼りして施工する方法が普及しつつあるが、このような上貼り施工を行う場合には、既存の床材や壁材、天井材に化粧板を固定する必要がある。しかしながら、これらの材の劣化状況や種類等による表面状態が不明確であるため、上記化粧板の裏面を接着剤や両面テープによって該材の表面に接着するだけでは固定が不安定となる。そのため、化粧板をステープルやビス、フィニッシュネイルなどの留め具により物理的に固定する必要があるが、化粧板が薄肉に形成している場合においては、実部を形成しても上記留め具により固定される部分が限られるといった問題点がある。
【０００５】
本発明はこのような問題点に鑑みてなされたもので、その目的とするところは、室内の温度や湿度の変化によって隣接する化粧板間の目地部が開いても外観を損する虞れをなくすることができると共に目地部に水が浸入しても裏面側に回り込むのを防止することができ、さらに、床や壁、天井等を解体することなくリフォームする場合には既存の床材や壁材、天井材に強固に且つ簡単に施工することができる化粧板とその施工方法を提供するにある。
【課題を解決するための手段】
【０００６】
上記目的を達成するために、本発明の化粧板は、請求項１に記載したように、基板における少なくとも一辺側の端部裏面に縁材の表面内側部を固着して、基板の端部裏面から突出する該縁材の外側部を基板の他辺側の端部裏面を載置させる突出実部に形成してあり、さらに、基板の表面全面から互いに平行な上記両辺側の端面に亘って化粧シートを貼着していると共に上記突出実部を有する一辺側の端面からこの突出実部の表面に亘って該化粧シートを連続的に貼着してなる構造としている。
【０００７】
このように構成した化粧板において、請求項２に係る発明は、上記基板の一辺側の端部裏面に固着している縁材において、突出実部の突出端面から所定幅部分の裏面側を一定厚みだけ切除して下向きの係合段部に形成している一方、基板の他辺側の端部裏面にも上記縁材に平行な別な縁材の内側部表面を固着していると共に、この縁材における基板の他端面から突出した突出端面から基板の他側部裏面側に対向する表面側の所定幅部分を一定厚みだけ切除して上記一方の縁材の係合段部に重ね合わせ状に係合する上向きの係合段部に形成してあり、この上向き係合段部の表面内端部と基板の他端部裏面との間に上記一方の縁材の突出実部における先端部を受入れる横溝を形成していることを特徴とする。
【０００８】
さらに、請求項３に係る発明は、上記化粧シートを基板の他辺側の端面から端部裏面にまで連続的に貼着していることを、請求項４に係る発明は、基板の一辺側の端部から突出している縁材の突出実部の先端部表面を化粧シートが貼着されていない露出面とし、この露出面に粘着剤層を全長に亘って設けていると共にこの粘着剤層を剥離紙により被覆していることを特徴とする。
【０００９】
また、請求項５に係る発明は、上記化粧板の施工方法であって、基板における少なくとも一辺側の端部裏面に縁材の内側部を固着して該端部から突出している縁材の外側部を突出実部に形成していると共に、この突出実部の表面を含めて該基板の表面から少なくとも他辺側の端面に亘り化粧シートを全面的に貼着してなる化粧板の施工方法であって、この化粧板を施工面上に配設して縁材の突出実部の端部を施工面に留め具により固定したのち、この突出実部を被覆している化粧シート上に次の化粧板における端面が化粧シートにより全面的に被覆されている他辺側端部を重ね合わせた状態にして一辺側の端部から突出している縁材の突出実部の端部を施工面に留め具により固定し、この化粧板の固定作業を順次行うことを特徴とする。
【発明の効果】
【００１０】
請求項１に係る発明によれば、化粧板はその基板における互いに平行な二辺において、一辺側の端部裏面に縁材を固着していると共に化粧シートを基板の表面全面から上記互いに平行な二辺における端面に亘って貼着し、且つ基板の上記一辺側の端部においてはその端部裏面から突出している上記縁材の突出実部の表面に亘って上記化粧シートを連続的に貼着しているので、化粧板の施工時において、一方の化粧板の突出実部上に他方の化粧板の他端部を載置した場合、この化粧板の他端部裏面が上記一方の化粧板の突出実部に貼着している化粧シート上に載置した状態となり、従って、これらの化粧板の対向端面間の目地部が温度や湿度の変化によって開いてもその目地部には基板の表面に貼着している化粧シートと同一化粧シートが露呈した形態を保持することができ、そのため、目地部に違和感が生じる虞れもなく、常に美麗な外観を呈しておくことができる。
【００１１】
さらに、上記目地部に水が浸入しても、その目地部の底面が一方の化粧板の突出実部に貼着している化粧シートによって形成され且つこの化粧シートに他方の化粧板の端部裏面が密着した状態となっているから、化粧板の裏面側に回り込むことはなく、化粧板が腐朽したりカビが発生するのを防止することができる。
【００１２】
また、請求項２に係る発明によれば、基板の一辺側の端部裏面に固着している縁材において、突出実部の突出端面から所定幅部分の裏面側を一定厚みだけ切除して下向きの係合段部に形成している一方、基板の他辺側の端部裏面に上記縁材に平行な別な縁材の内側部上面を固着していると共に、この縁材における基板の他端面から突出した突出端面から基板の他側部裏面側に対向する表面側の所定幅部分を一定厚みだけ切除して上記一方の縁材の係合段部に重ね合わせ状に係合する上向きの係合段部に形成してあり、この上向き係合段部の表面内端部と基板の他端部裏面との間に上記一方の縁材の突出実部における先端部を受入れる横溝を形成しているので、化粧板同士を接続する際に、対向する縁材の上向き係合段部と下向き係合段部とを互いに係止させ且つ下向き係合段部を有する一方の化粧材の縁材の先端部を雄実部として他方の化粧材側の上記横溝によって形成している雌実部内に挿入することにより、接着剤によることなく化粧板同士を簡単且つ正確に接続、施工することができる。
【００１３】
さらに、請求項３に係る発明によれば、化粧板の他端部側において上記化粧シートを基板の端面から端部裏面に亘って折り返した状態で貼着しているので、化粧板同士を接続した時に、一方の化粧板の突出実部を被覆している化粧シート上に他方の化粧板の上記他端部の裏面に貼着している化粧シートが重なり合った状態となって両化粧シートの良好な密着性により目地部からの水の浸入を確実に防止することができる。
【００１４】
さらにまた、請求項４に記載したように、基板の一辺側の端部から突出している縁材の突出実部の先端部表面を化粧シートが貼着されていない露出面とし、この露出面に粘着剤層を全長に亘って設けてこの粘着剤層を剥離紙により被覆しているので、施工時には該剥離紙を剥離することによって、化粧板の施工作業が容易に行えるのは勿論、粘着剤層を介して他方の化粧板の他端部裏面を接着させるものであるから、一方の化粧板の突出実部を被覆している化粧シートと他方の化粧板の上記他端部の裏面に貼着している化粧シートとの密着性と共にこの粘着剤層によって上述した目地部からの水の浸入を一層確実に防止することができ、基板の腐朽やカビの発生を長期に亘り防止することができる。
【００１５】
請求項５に係る発明は上記化粧板の施工方法であって、化粧板を施工面上に配設して縁材の突出実部の端部を施工面に留め具により固着したのち、この突出実部を被覆している化粧シート上に次の化粧板における端面が化粧シートにより全面的に被覆されている他辺側端部を重ね合わせた状態にして一辺側の端面裏面から突出している縁材の突出実部の端部を施工面に留め具により固着し、この作業を繰り返し行うものであるから、施工が何等の熟練を要することなく簡単且つ能率よく行えると共に、化粧板によって施工した床面や壁面、或いは天井面等の内装材表面は目地部を含めて同一の化粧シートにより形成された構造となって目地部が目立たない優れた外観を呈する内装面を形成することができる。
【発明を実施するための最良の形態】
【００１６】
次に、本発明を実施するための最良の形態について説明すると、化粧板Ａは図１〜図４に示すように、前後の２辺と両側の２辺とをそれぞれ互いに平行に形成している平面矩形状の基板１を化粧板主体とし、この基板１における直角に隣接する２辺、例えば、前側辺と一側辺との端部下面に一定幅を有する縁材２、２の幅方向の内側部の表面を接着剤によって一体に固着してこれらの縁材２、２の外側部を基板１の前端面1aの下端と一側端面1bの下端とからそれぞれ水平方向に突出させた一定幅の突出実部2a、2aに形成してあり、さらに、基板１の表面全面から該基板１の四方端面に亘って化粧シート３を連続的に貼着していると共にこの化粧シート３の前端部と一側端部とを基板１の上記前端面1aと一側端面1bとの下端からそれぞれ上記縁材２、２の突出実部2aの上面における内側部分上に貼着した構造を有している。
【００１７】
上記基板１は木質板、或いはフェノール樹脂板やメラミン樹脂板等の合成樹脂板、珪酸カルシウム板、火山性ガラス質複層板（例えば、大建工業株式会社製、商品名：ダイライト）等からなり、厚さが３〜６mmであって比較的薄肉に形成されている。この基板１上に貼着して該基板１を全面的に被覆している上記化粧シート３としてはポリエチレンテレフタレート樹脂シートやオレフィン系樹脂シート、化粧紙などが使用される。
【００１８】
一方、縁材２は表裏面が平坦面に形成されている合板、合成樹脂板、剛性を有する厚紙などからなり、その長さは基板１の一辺の長さに等しくなるように形成されている。また、上記化粧シート３は、上述したように基板１の前端側と一側端側においては、基板１の前端面1aと一側端面1bとに貼着している端部をこれらの端面1a、1bから水平方向に延出させて上記縁材２、２の突出実部2aの表面における内側部分上に貼着した縁材被覆シート端部3a、3bとしているが、基板１の後端面1cとこの後端面1cに直角に連なる他側端面1dとにおいては、これらの端面1c、1dに該化粧シート３の後端部と他側端部とを貼着して該端面1c、1dを全面的に被覆したのち、さらに基板１の後端部裏面と他側端部裏面側にそれぞれ折り返してこれらの裏面に貼着した裏面被覆端部3c、3dとしている。
【００１９】
また、上記縁材２、２における突出実部2aの表面内側部には、上述したように化粧シート３の縁材被覆シート端部3a、3bが貼着されているが、これらの縁材２、２の突出実部2aの表面外側部、即ち、先端部表面は化粧シートが貼着されていない露出面としてあり、この露出面に図４に示すように、粘着剤層４を全長に亘って層着していると共にこの粘着剤層４を剥離紙５により被覆している。
【００２０】
このように構成した化粧板Ａの施工方法を説明すると、床や壁、天井等の下地材、或いは、リフォームする際における既存の床材や壁材、天井材（以下、施工面Ｂとする）上の所定箇所に化粧板Ａを図５に示すように載置する。この際、予め、該化粧板Ａにおける縁材２、２の粘着剤層４を被覆している剥離紙５を剥離しておくと共に、この化粧板Ａの基板１の裏面又は施工面Ｂに接着剤６を塗布しておき、該接着剤６によって化粧板Ａを施工面Ｂに固定する。なお、この接着剤６に代えて両面テープを用いることもできる。
【００２１】
しかるのち、縁材２、２の突出実部2aにおける化粧シートが貼着されていない先端部分をステープル又はビス或いはフィニッシュネイルなどの留め具７によって施工面Ｂに固着する。この場合、該留め具７として留め付け力が大きい石膏ボード専用ビスを用いれば、化粧板Ａを上記接着剤６によって施工面Ｂに固定する工程を省略することも可能である。こうしてこの化粧板Ａを施工面Ｂの所定箇所に固定したのち、この化粧板Ａの前端部から突出している縁材２の突出実部2a上に図６に示すように、次に固定すべき化粧板Ａの後端部裏面を載置して該後端部裏面に貼着している化粧シート３の裏面被覆端部3cを上記縁材２における突出実部2aの内側端部上に貼着している縁材被覆シート端部3a上に重ね合わせると共に、化粧シート３の裏面被覆端部3cによって被覆されていない上記施工すべき化粧板Ａの後端部裏面における内側部分を上記縁材２の突出実部2aの先端部分上に層着している粘着剤層４により固定させる。
【００２２】
さらに、施工すべき化粧板Ａの前端部から突出している縁材２の突出実部2aを上記同様に留め具７によって施工面Ｂに固定する。このように、前後２枚の化粧板Ａ、Ａを施工面Ｂ上に並べた状態で固定すると、突き合わせ状に対向させた前後端面1a、1c間に目地部８が形成される。同様に、先に施工面Ｂ上に固定している上記化粧板Ａの一側端側においても、その一側端部から突出している縁材２の突出実部2a上に次の化粧板Ａにおける他側端部を重ね合わせてこれらの化粧板Ａ、Ａの対向側端面1b、1d間に上記目地部８に直交する目地部（図示せず）をした状態にして該化粧板Ａの一側端部から突出している縁材２の突出実部2aを留め具７により施工面Ｂに固定する。
【００２３】
こうして、多数枚の化粧板Ａを、一方の化粧板Ａの縁材２の突出実部2a上に他方の化粧板Ａの対向端部を載置してこれらの化粧板Ａ、Ａの対向端面で目地部８を形成しながら順次、縦横に並列させて施工面Ｂに固定することにより、床面や壁面、天井面等を施工するものである。従って、前後、左右に隣接する化粧板Ａ、Ａ間で縦横に形成されている目地部８は、その両側面を化粧板Ａ、Ａの前後端面1a、1bを被覆している化粧シート３の端部によって形成していると共に内底面を一方の化粧板１の縁材２の突出実部2aにおける内側端部上に貼着している縁材被覆シート端部3aによって形成された構造となり、床面や壁面、或いは天井面はその目地部８を含めて同一の化粧シート３によって全面的に被覆された目地部８が目立ち難い外観を呈することになる。
【００２４】
なお、このような化粧板Ａの施工構造において、上記縁材２を両面テープによって形成しておいてもよく、この場合には、縁材２の突出実部2aの外側部上に粘着剤層４を設ける必要はない。また、縁材２を化粧板Ａにおける基板１の一辺側の端部裏面のみに外方に向かって突設しておき、基板１の他の３辺側の端部にその端面から裏面に至るまで化粧シート３の端部を貼着している構造としておいてもよい。
【００２５】
また、図７に示すように、基板１における四辺の各端部の裏面に突出縁片2'と該突出縁片2'が嵌合可能な凹部９とを設ける共に、基板１の表面全面から四方の端面1a〜1dに化粧シート３を貼着し、且つ該化粧シート３をそれぞれ対応する突出縁部2'の表面内側部と凹部９の裏面に貼着した構造を有する化粧板であってもよい。さらに、図８に示すように、平面雁行形状の基板1'の一方の長辺側の端部と平面段状に形成されている一方の端部とに裏面から一定幅突出した突出縁片2'' を突設し、基板1'の表面全面から四方の端面1a〜1dに化粧シート３を貼着すると共に上記突出縁片2'' を有する側においてはその化粧シート３の端部を端面からこの突出縁片2'' の表面内側部にまで貼着し、他方の平面段状の端部側においては化粧シート３の端部を端面から該端部裏面に一定幅だけ折り返して貼着した構造の化粧板であってもよい。
【００２６】
図９は、本発明化粧板の別な実施の形態を示すもので、互いに平行に対する端部裏面に雌雄実部としての機能を有する縁材2A、2Bを一体に設けてなるものである。具体的には、前後の２辺と両側の２辺とをそれぞれ互いに平行に形成している平面矩形状の基板１を化粧板主体とし、この基板１における直角に隣接する２辺、例えば、前側辺と一側辺との端部下面に上記実施の形態と同様に、一定幅を有する縁材2A、2Aの幅方向の内側部の表面を接着剤によって一体に固着してこれらの縁材2A、2Aの外側部を前端面1aの下端と一側端面1bの下端とからそれぞれ水平方向に突出させた一定幅の突出実部2a、2aに形成している一方、後側片と他側片との端部下面に、上記縁材2Aと平面同一形状の縁材2B、2Bの外側部を後端面1cの下端と他側端面1dの下端とからそれぞれ水平方向に突出させた一定幅の突出実部2b、2bに形成している。
【００２７】
さらに、上記前端部と一側端部側の縁材2A、2Aの裏面においては、その突出実部2aの突出先端面側から所定幅部分を一定厚みだけ切除して下向きの係合段部10、10を形成している一方、後端部と他側端部側の縁材2B、2Bの表面においては、その突出実部2b、2bの突出先端面側から基板１の後端部裏面と他側端部裏面に亘る幅部分を一定厚みだけ切除して上記下向きの係合段部10、10と係合する上向きの係合段部11、11にそれぞれ形成していると共にこの上向きの係合段部11、11の表面内端部と基板１の後端部裏面間、及び他端部裏面間に上記下向き係合段部10、10を有する突出実部2a、2aの先端部を受け入れる横溝12、12にそれぞれ形成している。
【００２８】
また、化粧シート３は基板１の表面全面から該基板１の四方端面1a〜1dに亘って連続的に貼着していると共にこの化粧シート３の前端部と一側端部とを基板１の上記前端面1aと一側端面1bとの下端からそれぞれ上記縁材2A、2Aの突出実部2a、2aの上面における内側部分上に貼着して縁材被覆シート端部3a、3bとし、後端部と他側端部とを基板１の上記後端面1cと他側端面1dとの下端からそれぞれ上記横溝12、12内に折り返して基板１の後端部裏面と他側端部裏面とに貼着している裏面被覆端部3c、3dを設ける。
【００２９】
このように構成したので、上記実施の形態と同様に施工面Ｂの所定箇所に化粧板Ａを接着剤６を介して接着し、横溝12を設けている縁材2B、2Bの突出実部2b、2bの先端部分をステープル又はビス或いはフィニッシュネイルなどの留め具７によって施工面Ｂに固着する。次いで、この化粧板Ａの上記縁材2Bの突出実部2b上に図10に示すように、次に固定すべき化粧板Ａの縁材2Aの突出実部2aを重ね合わせると共にその突出実部2aの先端部を横溝12内に挿入することによってこれらの突出実部2a、2bの係合段部10、11同士を係止させ、縁材2Aの突出実部2a上の縁材被覆シート端部3a（3b）の上面を横溝12内に折り返している裏面被覆端部3c（3d）の下面に密着させて両化粧板Ａ、Ａの対向端面間に化粧シート３によって全面的に被覆されている目地部８を設けた接続構造とする。
【００３０】
こうして、多数枚の化粧板Ａを、先に施工面Ｂに固定した化粧板Ａの縁材2Bの突出実部2b上に次に固定すべき化粧板Ａの対向端部における縁材2Aの突出実部2aを重ね合わせて互いに対向する係合段部10、11を係止させることにより、これらの化粧板Ａ、Ａの対向端面で目地部８を形成しながら順次、縦横に並列させて床面や壁面、天井面等を施工するものである。
【図面の簡単な説明】
【００３１】
【図１】化粧板の平面図。
【図２】その斜視図。
【図３】裏面側から見た一部省略斜視図。
【図４】化粧板の縦断面図。
【図５】施工状態を示す断面図。
【図６】化粧板同士を接続した施工状態の断面図。
【図７】化粧板の変形例を示す平面図。
【図８】化粧板のさらに別な変形例を示す平面図。
【図９】本発明の別な実施の形態を示す化粧板の施工状態の断面図。
【図１０】化粧板同士を接続した施工状態の断面図。
【符号の説明】
【００３２】
Ａ  化粧板
１  基板
２  縁材
2a  突出実部
３  化粧シート
3a、3b  縁材被覆シート端部
3c、3d  裏面被覆端部
７  留め具
８  目地部
【図１】
2005256544.tif 000003
【図２】
2005256544.tif 000004
【図３】
2005256544.tif 000005
【図４】
2005256544.tif 000006
【図５】
2005256544.tif 000007
【図６】
2005256544.tif 000008
【図７】
2005256544.tif 000009
【図８】
2005256544.tif 000010
【図９】
2005256544.tif 000011
【図１０】
2005256544.tif 000012